(57)【要約】  本発明は、サンダル、特にいわゆるゴム草履として形成されたサンダルであって、靴底（２）を有しており、母指をその他の爪先とは分離して別個に受容するための母指受容区分（７）を有している形式のものに関する。本発明は特に、外反母趾の矯正及び／又は予防のための整形外科的な手段を備えたサンダルに関する。本発明によれば、サンダルには、中足を支持するための中足骨ストラップ（１７）が設けられており、中足骨ストラップには靴底がセンタリング装置（３）によって所定の方向付けで枢着されており、中足骨ストラップが側方の足裏支持区分（１８，１９）を有しており、これらの足裏支持区分は、側方から足裏の下方内側へ及び／又は靴底上方で延びていて、靴底から持ち上がり可能であって、靴底の転動時に足裏が持ち上がった場合でも、中足を足裏から、上方に向けられた側方の押圧力によって支持し、中足を正しく方向付け、若しくは方向付けられた位置に支持する。
2011524225.tif 000002
【特許請求の範囲】
【請求項１】
サンダル、有利にはゴム草履として形成されたサンダルであって、靴底（２）を有しており、母指をその他の爪先とは分離して別個に受容するための母指受容区分（７）を有している形式のものにおいて、
中足を支持するための中足骨ストラップ（１７）が設けられており、該中足骨ストラップ（１７）が側方の足裏支持区分（１８，１９）を有しており、これらの足裏支持区分（１８，１９）は、靴上部（３）の側面（２５，２６）から底中央へと内側に向かって引き込まれていて、側方の靴底縁部に結合されておらず、靴底（２）を、靴底（２）から持ち上がり可能な中足骨ストラップ（１７）にセンタリングするためのセンタリング装置（３）が設けられていることを特徴とする、サンダル。
【請求項２】
センタリング装置（３）が、歩行時に足が転動運動する際に靴底（２）が中足骨ストラップ（１７）から、特に、側方の足裏支持区分（１８，１９）から離れるが、中足骨ストラップ（１７）に対して靴底（２）が側方でずれたりねじ曲がることがないように形成されている、請求項１記載のサンダル。
【請求項３】
センタリング装置（３）が、中足骨ストラップ（１７）に靴底（２）を枢着するために少なくとも一対の枢着バンド（４，５）を有しており、これらの枢着バンド（４，５）は互いに反対方向に傾斜して延びている、請求項１又は２記載のサンダル。
【請求項４】
上記枢着バンド（４，５）が、靴底（２）を垂直に延びる長手方向中央平面に関してそれぞれ鋭角をなすように傾斜されており、特に対称的に傾斜されている、請求項３記載のサンダル。
【請求項５】
上記枢着バンド（４，５）は、互いに４５°〜１５０°の、有利には約６０°〜１２０°の、特に約７５°〜１００°の拡開角度をなしてｖ字状に傾斜されている、請求項４記載のサンダル。
【請求項６】
両枢着バンド（４，５）の靴底（２）への枢着点（９）の互いの間隔が、両枢着バンド（４，５）の中足骨ストラップ（１７）への枢着点（６）の互いの間隔の２／３よりも小さい、請求項３から５までのいずれか１項記載のサンダル。
【請求項７】
両枢着バンド（４，５）が、中足骨ストラップ（１７）の横断面で見て、７時〜１０時の領域と２時〜５時の領域で、有利には８時〜９時の領域と３時〜４時の領域で中足骨ストラップ（１７）に枢着されている、請求項３から６までのいずれか１項記載のサンダル。
【請求項８】
センタリング装置（３）及び／又は中足骨ストラップ（１７）の枢着点（９）が、靴底幅の少なくとも１／４、有利には１／３又はそれ以上、底縁部から間隔を置いて、靴底中央に向かって内側にずらされて配置されている、請求項１から７までのいずれか１項記載のサンダル。
【請求項９】
中足骨ストラップ（１７）に、中足骨ストラップ（１７）を緊締するための緊締手段（２１）が設けられている、請求項８記載のサンダル。
【請求項１０】
緊締手段（２１）が、中足骨ストラップ（１７）の長さ調節のために長さ調節手段（２２）を有している、請求項９記載のサンダル。
【請求項１１】
中足骨ストラップ（１７）の足裏支持区分（１８，１９）が、靴底幅の少なくとも１／４の外側靴底区分で、靴底（２）から別個に形成されている、請求項１から１０までのいずれか１項記載のサンダル。
【請求項１２】
母指受容区分（７）に、靴内側に向けられた矯正力（１５）を母指に加えるための母指ストラップ（１４）が配置されている、請求項１から１１までのいずれか１項記載のサンダル。
【請求項１３】
母指ストラップ（１４）が少なくとも部分的に母指受容区分（７）を形成している、請求項１２記載のサンダル。
【請求項１４】
靴内側に向かって母指ストラップ（１４）を張設するための張設手段（２７）が設けられている、請求項１２又は１３記載のサンダル。
【請求項１５】
張設手段（２７）が、母指ストラップ（１４）を長さ調節するための長さ調節手段（２８）を有している、請求項１４記載のサンダル。
【請求項１６】
靴底（２）が母指区分（２ａ）を有しており、該母指区分（２ａ）は、靴長手方向に延びる底切欠（８）によって、靴底（２）の隣接する爪先区分（２ｂ）から分離されていて、該区分とは独立に転動方向に曲がることができる、請求項１から１５までのいずれか１項記載のサンダル。
【請求項１７】
底切欠（８）が、靴底（２）の底切り込み部（１０）及び／又はスリットによって形成されている、請求項１６記載のサンダル。
【請求項１８】
底切欠（８）が靴先端から、母指の第２関節までの長さにほぼ相当する長さを有している、請求項１６又は１７記載のサンダル。
【発明の詳細な説明】
【技術分野】
【０００１】
本発明は、サンダル、有利にはゴム草履（flip-flop）として形成されたサンダルであって、靴底を有しており、母指をその他の爪先とは分離して別個に受容するための母指受容区分を有している形式のものに関する。本発明はこの場合特に、外反母趾の矯正及び／又は予防のための整形外科的な手段を備えたサンダルに関する。
【０００２】
種々様々な原因、特に幅の狭すぎる靴や踵の高すぎる靴を履くことにより、痛みを伴う爪先損傷を発症することがあり、これはしばしば手術により治療される。しばしばこの場合、特に、母指が、足の外側に向かって曲げられてしまう損傷位置をとり、これは中足骨関節若しくは中足の範囲における組織変様を伴う。
【０００３】
このような爪先の損傷位置、特に外反母趾を矯正するために、通常は、矯正副子を足に取り付け、この副子により、矯正したい爪先を、いわば正しく曲げ、即ちあるべき位置へと強制的にもたらし、ここに保持する。この場合、相応の副子は、手術分野でも、外科手術を行わない治療においても、使用される。
【０００４】
しかしながらこのような足の副子の装着は、特に夏期、サンダルのような開放的な靴ではしばしば好まれない。何故ならば、副子は、靴下やストッキングを着用しなければ見えてしまい、欠点と受け取られる場合もあるからである。
【０００５】
このような爪先矯正のための治療では、少なくとも長期的には足が支持副子なしでもそれ自体形状を維持することができるようになるために、足の範囲にあるがしばしば衰弱している筋肉を強化することが重要であるという認識がある。理学療法で意識的に行われる相応のトレーニング法はしばしば煩わしく、長く耐え抜くことはできないので、歩行時にいわば自然に足をトレーニングする靴を着用するのが有利である。これにより足の筋肉は特に、中足の領域に形成され、この場合、母指を自然にあるべき位置に保持するが、所望のトレーニング効果を得るために相応の運動が可能である。
【０００６】
このような前提から、本発明の課題は、上記の形式のサンダルを改善して、先行技術の欠点を回避し、有利に構成することである。特に、外反母趾の治療を支援し及び／又は外反母趾を予防する効果があり、歩行時に母指を自然にあるべき位置に保持し、同時に土踏まずを起こす支持作用をもたらすようなサンダルを提供するのが望ましい。有利には、中足の領域で母指運動を制御する足の筋肉のより強力なトレーニングが得られることも求められる。
【０００７】
この課題は、本願発明によれば、請求項１に記載のサンダルにより解決される。本発明の有利な構成は従属請求項に記載されている。
【０００８】
即ち、サンダルにおいてしばしば生じるように側方からずれてしまったり、ねじ曲がってしまうことを防止するために、靴底を足に対して相対的にセンタリングし、所定の方向付けで位置決めすることが提案されている。これにより母指受容区分は爪先位置矯正補助手段として作用し、母指は自然にあるべき位置に保持される、若しくは少なくとも強制力によってそこに向かって負荷される。靴底のセンタリングはこの場合、中足の領域における靴底の特別に形成された枢着部を介して行われ、この枢着部は同時に、中足の支持を行い、起こさせる。本発明によれば、サンダルは中足を支持するための中足骨ストラップを有しており、このストラップには、靴底がセンタリング装置によって、規定された方向付けで枢着されている。この場合、上記中足骨ストラップは側方の足裏支持区分を有しており、この足裏支持区分は側方で足裏の下方で、内部に向かって及び／又は靴底の上方で延びており、靴底から持ち上がり可能であって、これにより、足裏が転動時に靴底から持ち上がる際に、中足を足裏から上方に向けられた側方の押圧力によって支持し、中足を方向付け、若しくは起立位置に支持することができる。
【０００９】
上記センタリング手段はこの場合、サンダルでは通常であるような、歩行時の足の転動運動の際の足裏の持ち上がりを可能にするにもかかわらず、足に対して靴底が側方でずれたり、ねじ曲がったりすることを防止するように形成されているので、靴底は平面図で見て常に、足裏の下方のほぼ規定の目標位置に留まる。これにより母指受容区分は爪先位置矯正補助手段として作用し、母指を自然にあるべき位置に保持することができる。
【００１０】
本発明の別の構成では、上記センタリング装置は、中足骨ストラップに靴底を枢着するために少なくとも一対の枢着バンドを有しており、これらの枢着バンドは互いに反対方向に傾斜して延びている。これにより、中足骨ストラップに関して靴底にセンタリング作用を行うことができる。特に上記枢着バンドは、靴底に垂直に延びる長手方向中心平面に関してそれぞれ鋭角的に傾斜されているので、枢着バンドは全体としてほぼｖ字状に配置されてセンタリング効果を有する。
【００１１】
枢着バンドの配置は、基本的には種々様々に行うことができ、例えば、両枢着バンドは、靴底への固定点で、中足骨ストラップへの枢着点の領域における互いの間隔よりも広い互いの間隔を有していて良く、これにより枢着バンドのほぼ切妻屋根状の配置が生じる。しかしながら有利には本発明の別の構成によれば、枢着バンドの配置は逆にされていて、即ち、両枢着バンドは中足骨ストラップへの枢着点で、靴底への枢着点の互いの間隔よりも広い互いの間隔をおいて配置されている。
【００１２】
この場合、ｖ字状の拡開は種々様々な程度で行われている。一方では十分なセンタリング効果を得るために、他方では、ストラップに強すぎる引張力を加えないために、両枢着バンドは、互いに４５°〜１５０°の、有利には約６０°〜１２０°の、特に約７５°〜１００°の拡開角度をなして配置されていると有利である。有利には両枢着バンドの靴底への枢着点の互いの間隔は、両枢着バンドの中足骨ストラップへの枢着点の互いの間隔の２／３よりも小さい。
【００１３】
十分なセンタリング効果を得るために、また他方では、サンダルの既知の履き心地を奏するよう靴底から足裏が十分に持ち上がることができるためにも、有利には、両枢着バンドが、中足骨ストラップの横断面で見て、７時〜１０時の領域と２時〜５時の領域で、有利には８時〜９時の領域と３時〜４時の領域で中足骨ストラップに枢着されている。
【００１４】
靴底からの足裏の持ち上がりを可能にすると同時に、靴底のための十分なセンタリング効果を得るために、有利には、枢着バンドは十分弾性的かつ膨張可能に構成することができる。
【００１５】
枢着バンドのねじれを阻止するために、枢着バンドは十分広く形成されていて、それぞれ全幅にわたって中足骨ストラップと靴底に枢着されており、枢着バンドの幅は有利には、中足骨ストラップの幅の２／３〜３／３に相当する。枢着バンドの幅は有利には３〜１０ｃｍ、特に４〜７ｃｍである。
【００１６】
サンダルの側方図で見て、上記枢着バンドは有利には、ほぼ垂直、又は中足骨ストラップから僅かに靴底に向かって下方に傾いて延びているので、靴底への枢着バンドの枢着点は、靴底の中央区分に、中足と対応して位置する。
【００１７】
本発明の別の構成では、中足骨ストラップの側方の足裏支持区分は、従来の靴上部で通常であるように、足裏の外側縁部に接触する区分で靴底の側縁部に直接結合されているのではなく、底縁部には結合されておらず、内側に引き込まれているので、中足骨ストラップの側方の足裏支持区分は、側方の底縁部の領域では靴底から自由に延びていて、中足骨ストラップは左右で、６時と９時の間の領域若しくは６時と３時の間の領域において靴底から離れて、靴底から間隔をおいて内側に向かって張設され、若しくは相応の緊締力を中足の底領域に加えることができる。
【００１８】
上記の足裏支持区分は、靴底縁部から間隔をおいて、靴上部と靴底とによって制限される靴内部空間の中心に向かって内側へと引き込まれ、これにより側方の足裏縁部に接触し、転動時に足裏が靴底から持ち上がった場合でも、ここで正しく支持される。
【００１９】
本発明の別の構成では、中足骨ストラップを緊締するための緊締手段が設けられているので、特に、中足骨ストラップの上記側方の足裏支持区分は内側及び上方に向かって張設され、所望の支持作用を得ることができる。上記緊締手段は、この場合有利には、上記ストラップの長さ調節のために長さ調節手段を有している。簡単な操作を得るために、緊締手段及び／又は長さ調節手段は、中足骨ストラップの靴底とは反対の上面又は外面に操作部分を有していて良い。例えば中足骨ストラップは、面ファスナ又は類似の保持手段によって所定の緊締位置に固定することができる。
【００２０】
上記センタリング装置による中足骨ストラップの少なくとも１つの靴底枢着点は、本発明の別の構成によれば、靴底幅の少なくとも１／４、有利には１／３の間隔を底縁部から置いて、即ち、靴底中央に向かって内側にずらされて配置されている。
【００２１】
母指位置を自由に調整し、若しくは矯正力を正確に調節することができるように、本発明の別の構成では、靴底に対して相対的に、母指受容区分の位置及び／又は向きを調節するための調節装置が設けられていて良く、及び／又は母指受容区分の領域で母指ストラップが設けられていて良く、この調節装置及び／又は母指ストラップによって、靴内側に向けられた矯正力を母指に加えることができる。母指を完全に取り囲んで緊締する母指ストラップの代わりに、場合によっては、靴内側に向けられた矯正力を加えるために選択的に構成された、引張押圧手段を設けることもできる。これは例えば、母指の隣接する爪先に向いた側に沿って延びる摺動可能に配置されたウエブとして形成されている。選択的又は付加的に、母指受容部全体は底に横方向摺動可能に支承されていて、調節可能であって良い。しかしながら有利には、上記母指ストラップは、靴底内側で不動の支持部等に枢着され、長さ調節により快適に、相応の矯正力を母指に加えることができる。本発明の別の有利な構成では、母指ストラップを足内側に向かって張設するための張設手段が設けられていて、この張設手段は特に、上記ストラップの長さ調節のための長さ調節手段を有している。有利には、母指ストラップは、張設可能な面ファスナとして、靴底又はそれ自体に固定されている。
【００２２】
歩行時に、母指運動を制御する筋肉のための強化されたトレーニング効果を得るために、本発明の別の構成では、足が転動する際の母指運動を、その他の爪先の運動から機械的にほぼ切り離すことができ、これにより母指は、裸足での歩行時のように自然な状態になり、バランス作用の大部分を担い、特に、母指を保持する筋肉組織は強化されるようトレーニングされ、同時に母指が足外側に向かって逸れることは防止される。有利には、靴底が母指区分を有しており、該母指区分は、靴長手方向に延びる底切欠によって、靴底の隣接する爪先区分から分離されていて、この区分とは独立的に転動方向に曲がることができる。母指と隣接する爪先との間に靴長手方向で設けられた底切欠により、母指の下に位置する靴底区分は、隣接する爪先の下に位置する隣接する靴底区分と簡単に交差することができ、即ち、水平に位置する横方向軸線を中心として簡単に上方及び下方に曲げることができ、この場合、上記隣接する靴底区分が一緒に曲げられることはない。
【００２３】
靴底の母指区分と靴底の隣接する爪先区分との間には、ねじれ力や曲げモーメントの直接的な力伝達は生じないので、母指は、靴全体の隣接する爪先区分から、バランスを保持するための支援を受けない。このことは、母指運動を制御する筋肉組織のトレーニング効果を強化することとなる。靴は、母指と隣接する爪先との間の底切欠により、裸足歩行時のような歩行感覚を得る。何故ならば母指は、その他の爪先とは独立的に転動するからである。同時に、母指をその他の爪先とは別個に母指受容区分において受容することにより、中足ストラップにおいて靴底方向をセンタリングするセンタリング装置との関連で、母指が足外側に向かって逸れずにまっすぐな自然にあるべき位置に保持されることが保証される。その限りでは、サンダル及び特に靴底は、上記底切欠にもかかわらず、正確に言うならばその方向付けと延在により、横方向での十分な剛性、即ち、鉛直軸線を中心とした曲げに関して十分な剛性を有するので、母指を足内側に向かって固定することができ、足外側に向かう不都合にずれてしまうこと回避することができる。
【００２４】
有利には、母指受容区分は、爪先先端に向かって開かれた、ほぼ円筒状の受容スリーブの形に形成することができる。選択的には、母指を裏側で取り囲み、爪先先端に向かって閉じられた受容区分を設けることができる。これにより母指受容区分は、靴端部から見て、大雑把に言えば、挿入側に向かって開かれ、靴先端に向かって閉じられたほぼ円筒状の受容孔を形成し、これは横断面図で見て、下方の底によって、及びその上に円弧状に延びる相応の受容区分円弧によって取り囲まれている。
【００２５】
靴底の母指区分を、靴底の隣接する爪先区分から所望のように機械的に分離させる底切欠は基本的に種々様々な構成が可能である。有利には上記底切欠は、底に設けられた切り込み部及び／又はスリットによって形成されており、この切り込み部及び／又はスリットは、靴先端から、ほぼ靴長手方向で、一部後方に向かって、ほぼ中足骨関節まで靴底に切り込まれていて、靴底を分割している。これにより完全に分離された底領域が、母指の下方と隣接する爪先の下方に生じ、これにより転動運動時に最大の分離が生じる。このように完全に材料を切り欠くのではなく、底切欠の領域に、機械的な分離を損なわない又は殆ど損なわない薄い材料層を残すことも考えられる。特に、底切欠の領域で、靴底の母指区分と隣接する爪先区分との間に上記両区分を互いに結合する結合ダイヤフラムが設けられても良い。この場合、結合ダイヤフラムは特に、汚物や液体が、母指と隣接する爪先との間の隙間に進入するのを防止するシール部分を形成する。上記結合ダイヤフラムは、この場合、靴底材料と比較して極めて膨張性が高く、場合によっては極めて薄い。この場合、上記結合ダイヤフラムは、その他の靴底と同じ材料で形成されても良い。例えば、膨張可能であって、水を通さない繊維ダイヤフラムが考えられる。これは、その膨張性により、所望の分離を損なうものではない。
【００２６】
次に本発明の実施例を図面につき詳しく説明する。
【図面の簡単な説明】
【００２７】
【図１】本発明の有利な構成によるサンダルを、足外側から見た足と共に示した側方図である。
【図２】図１の側方図を足内側から示した図である。
【図３】図１及び図２のサンダルと足を上方から示した平面図である。
【図４】中足骨ストラップの領域の図１のＡ−Ａ線に沿った断面図である。
【図５】本発明の構成によるサンダルの底の平面図であり、底には母指と隣接する爪先との間に底切欠が設けられている。
【図６】本発明の別の有利な構成による、図４とは異なるストラップ枢着点を有した中足骨ストラップの領域の図１のＡ−Ａ線に沿った断面図である。
【００２８】
図示のサンダル１は、いわゆるフリップ・フロップ（flip-flop、ゴム草履）として形成されていて、靴底２と、前端部の爪先の領域に別個の母指受容区分７とを有している。母指受容区分７は、靴底２の領域で、図５に示したように、靴底切欠８によって、隣接する爪先を取り囲む靴区分から分離することができる。図５に示したように、靴底切欠８は図示の構成では、スリット状の底切り込み部１０によって形成されていて、この底切り込み部１０では、靴底２の材料が完全に切り欠かれている。上記底切り込み部１０はこの場合、靴先端部からほぼ中足骨関節まで延びていて、靴長手方向に対してほぼ平行である。
【００２９】
図１、図２、図３に示されたように、母指受容区分７は、母指ストラップ１４から成っていて、この母指ストラップ１４は、母指の下方に位置する靴底区分２ａに枢着されていて、有利には、母指の位置を靴底２上で正確に調節することができるように長さ変更可能に形成されている。例えば、面ファスナ１６によって、母指ストラップ１４を張設し、固定することができる。この場合、場合によっては、足の内側に向かって母指に対して種々様々な強さの矯正力１５を加えることができるように、若しくはその都度の損傷個所にサンダルを合わせることができるように、適当な調節手段によって、母指ストラップの位置、ひいては母指受容区分７の位置を靴底２に対して相対的に調節することができ、特に底長手方向に対して横方向に変更することができる。
【００３０】
図１、図２、図３に示されているように、中足の領域には中足骨ストラップ１７が設けられている。中足骨ストラップ１７はこの場合、中足を完全に取り囲んでいて、靴底とは独立的に形成されている。ストラップ１７はこの場合、２つの側方の足裏支持区分１８，１９を有しており、これらの足裏支持区分１８，１９は、支持すべき中足を側面から取り囲み、足裏で支持する。上記足裏支持区分１８，１９はこの場合、靴底２から離され、特に直接、靴底２の側縁部に固定されているのではないので、中足は下方から、内側及び上方に向けられた側方の支持力２０によって支持することができる。上記足裏支持区分１８，１９を靴底２の側縁部に結合しないことにより、支持力２０によりまさに、外反母趾症において対処されるべき中足の区分が支持され、形成される。
【００３１】
図４に示したように、中足骨ストラップ１７はこの場合、所望の支持力２０を加えることができるように、靴底２の側縁部から有利には、靴底幅の少なくとも１／４以上離れていて、靴上部３と靴底２との間の結合部から、靴上部３の靴上部高さの少なくとも１／４以上離れている。
【００３２】
中足骨ストラップ１７を種々異なる足の幅に合わせ、支持力２０を調節することができるように、中足骨ストラップ１７は長さ調節装置２２として形成された緊締手段２１を有している。緊締手段２１若しくは長さ調節装置２２は例えば、面ファスナ２４を有している。面ファスナ２４によって、ストラップ１７の、上側で延びている区分を、その下に位置するストラップ区分に固定することができる（図４参照）。
【００３３】
この場合、上記中足骨ストラップ１７は、センタリング装置３を介して靴底２に結合される。センタリング装置３は、歩行時に足が転動する際に足裏から靴底２が離れることができるが、この場合、少なくとも、再び地面に立つ際には、側方や横方向にずれるのではなく、足裏の下方でセンタリングされて位置決めされたままであるように形成されている。これにより、母指受容区分７は、爪先位置矯正補助手段として作用し、母指は自然である目標位置に保持される。
【００３４】
上記センタリング装置３は、本発明の別の構成では、靴底２を中足骨ストラップ１７に枢着するために、有利には少なくとも一対の枢着バンド４，５を有している。枢着バンド４，５は互いに反対方向に傾けられて延びていて、中足骨ストラップ１７に関して靴底２をセンタリングするように作用する。特に、上記枢着バンド４，５はそれぞれ、靴底に垂直に延びる長手方向中心平面に関して鋭角を成して傾いているので、枢着バンド４，５の全体としてほぼｖ字状の配置が生じる（図４、図６参照）。
【００３５】
有利には、枢着バンド４，５の配置は、本発明の別の構成では、枢着バンド４，５と中足骨ストラップ１７との枢着点６で、靴底２との枢着点９よりも広い間隔を互いに置くように配置されている。
【００３６】
一方では十分に強いセンタリングを行うために、他方では、ストラップに強すぎる引張力を加えないために、図４の構成では、枢着バンド４，５の配置は、約９０°の拡開角度を成して行われている。靴底２への枢着バンド４，５の枢着点９の互いの間隔は、この場合有利には、ストラップ１７への枢着点６の互いの間隔の２／３よりも小さい。
【００３７】
図６に示した構成では、枢着バンド４，５がより拡開された配置が示されていて、枢着バンド４，５は図６によれば、約１２０°の角度をなしてｖ字状に配置されている。
【００３８】
十分なセンタリングを得るために、また他方では、フリップ・フロップ・サンダルの既知の履き心地を与えるように、靴底２からの足裏の十分な持ち上がりを可能にするために、枢着バンド４，５が、中足骨ストラップ１７の横断面で見て、７時〜１０時及び２時〜５時の領域で、有利には約８時〜９時及び３時〜４時の領域で中足骨ストラップ１７に枢着されているならば有利である。
【００３９】
図４の構成はこの場合、枢着バンド４，５は中足骨ストラップ１７に９時〜３時の領域で枢着されていること示しており、図６のより大きく拡開された配置では、約７時半〜４時半の領域において枢着されている。
【００４０】
有利には枢着バンド４，５は、靴底２からの足裏の持ち上がりと、靴底２のための十分なセンタリング作用を同時に得るために、十分弾性的かつ膨張可能に形成されていて良い。
【００４１】
枢着バンド４，５のねじれを阻止するために、枢着バンド４，５は十分広く形成されていて、それぞれ全幅にわたって中足骨ストラップ１７と靴底に枢着されており、枢着バンド４，５の幅は有利には、中足骨ストラップ１７の幅に相当する。枢着バンド４，５の幅は有利には４〜７ｃｍである。
【００４２】
サンダルの側方図で見て（図１及び図２参照）、上記枢着バンド４，５は有利には、ほぼ垂直又は僅かに傾けられて、中足骨ストラップ１７から靴底２に向かって下方に延びているので、靴底２と枢着バンド４，５との枢着点９は、中足と対応して靴底２の中央区分に位置する。
【図１】
2011524225.tif 000003
【図２】
2011524225.tif 000004
【図３】
2011524225.tif 000005
【図４】
2011524225.tif 000006
【図５】
2011524225.tif 000007
【図６】
2011524225.tif 000008
【手続補正書】
【提出日】平成22年4月19日(2010.4.19)
【手続補正１】
【補正対象書類名】特許請求の範囲
【補正対象項目名】全文
【補正方法】変更
【補正の内容】
【特許請求の範囲】
【請求項１】
サンダル、有利にはゴム草履として形成されたサンダルであって、靴底（２）を有しており、母指をその他の爪先とは分離して別個に受容するための母指受容区分（７）を有している形式のものにおいて、
中足を支持するための中足骨ストラップ（１７）が設けられており、該中足骨ストラップ（１７）が側方の足裏支持区分（１８，１９）を有しており、これらの足裏支持区分（１８，１９）は、
中足骨ストラップ（１７）の側面（２５，２６）から底中央へと内側に向かって引き込まれていて、
側方の靴底縁部に結合されておらず、
靴底（２）を中足骨ストラップ（１７）にセンタリングするためのセンタリング装置（３）が設けられており、
前記足裏支持区分（１８，１９）が靴底（２）から持ち上がり可能であることを特徴とする、サンダル。
【請求項２】
センタリング装置（３）が、歩行時に足が転動運動する際に靴底（２）が中足骨ストラップ（１７）から、特に、側方の足裏支持区分（１８，１９）から離れるが、中足骨ストラップ（１７）に対して靴底（２）が側方でずれたりねじ曲がることがないように形成されている、請求項１記載のサンダル。
【請求項３】
センタリング装置（３）が、中足骨ストラップ（１７）に靴底（２）を枢着するために少なくとも一対の枢着バンド（４，５）を有しており、これらの枢着バンド（４，５）は互いに反対方向に傾斜して延びている、請求項１又は２記載のサンダル。
【請求項４】
上記枢着バンド（４，５）が、靴底（２）を垂直に延びる長手方向中央平面に関してそれぞれ鋭角をなすように傾斜されており、特に対称的に傾斜されている、請求項３記載のサンダル。
【請求項５】
上記枢着バンド（４，５）は、互いに４５°〜１５０°の、有利には約６０°〜１２０°の、特に約７５°〜１００°の拡開角度をなしてｖ字状に傾斜されている、請求項４記載のサンダル。
【請求項６】
両枢着バンド（４，５）の靴底（２）への枢着点（９）の互いの間隔が、両枢着バンド（４，５）の中足骨ストラップ（１７）への枢着点（６）の互いの間隔の２／３よりも小さい、請求項３から５までのいずれか１項記載のサンダル。
【請求項７】
両枢着バンド（４，５）が、中足骨ストラップ（１７）の横断面で見て、７時〜１０時の領域と２時〜５時の領域で、有利には８時〜９時の領域と３時〜４時の領域で中足骨ストラップ（１７）に枢着されている、請求項３から６までのいずれか１項記載のサンダル。
【請求項８】
センタリング装置（３）及び／又は中足骨ストラップ（１７）の枢着点（９）が、靴底幅の少なくとも１／４、有利には１／３又はそれ以上、底縁部から間隔を置いて、靴底中央に向かって内側にずらされて配置されている、請求項１から７までのいずれか１項記載のサンダル。
【請求項９】
中足骨ストラップ（１７）に、中足骨ストラップ（１７）を緊締するための緊締手段（２１）が設けられている、請求項８記載のサンダル。
【請求項１０】
緊締手段（２１）が、中足骨ストラップ（１７）の長さ調節のために長さ調節手段（２２）を有している、請求項９記載のサンダル。
【請求項１１】
中足骨ストラップ（１７）の足裏支持区分（１８，１９）が、靴底幅の少なくとも１／４の外側靴底区分で、靴底（２）から別個に形成されている、請求項１から１０までのいずれか１項記載のサンダル。
【請求項１２】
母指受容区分（７）に、靴内側に向けられた矯正力（１５）を母指に加えるための母指ストラップ（１４）が配置されている、請求項１から１１までのいずれか１項記載のサンダル。
【請求項１３】
母指ストラップ（１４）が少なくとも部分的に母指受容区分（７）を形成している、請求項１２記載のサンダル。
【請求項１４】
靴内側に向かって母指ストラップ（１４）を張設するための張設手段（２７）が設けられている、請求項１２又は１３記載のサンダル。
【請求項１５】
張設手段（２７）が、母指ストラップ（１４）を長さ調節するための長さ調節手段（２８）を有している、請求項１４記載のサンダル。
【請求項１６】
靴底（２）が母指区分（２ａ）を有しており、該母指区分（２ａ）は、靴長手方向に延びる底切欠（８）によって、靴底（２）の隣接する爪先区分（２ｂ）から分離されていて、該区分とは独立に転動方向に曲がることができる、請求項１から１５までのいずれか１項記載のサンダル。
【請求項１７】
底切欠（８）が、靴底（２）の底切り込み部（１０）及び／又はスリットによって形成されている、請求項１６記載のサンダル。
【請求項１８】
底切欠（８）が靴先端から、母指の第２関節までの長さにほぼ相当する長さを有している、請求項１６又は１７記載のサンダル。
【国際調査報告】
2011524225.tif 000009
2011524225.tif 000010
2011524225.tif 000011
2011524225.tif 000012
2011524225.tif 000013
2011524225.tif 000014